(57)【要約】【課題】端末装置と管理装置との間で、端末装置に関係する情報の通信が行われるべき場合に、バッテリが接続されていない状態で通信を行い得ることで、例えば、メンテナンス処理を実行する際の作業者の負担を軽減し得る技術を提供する。【解決手段】管理装置１００は、送電部に送電を実行させ、送電の実行中に、端末装置１００から無線接続要求を受信する場合（Ｔ１１２）に、端末装置１００との間で無線通信接続を確立し（Ｔ１１４）、無線通信接続を利用して、端末装置１００との間で、コマンドの通信を実行する（Ｔ１１６等）。端末装置１００は、受電部によって受電された電力が端末装置１００の制御部に供給される場合（Ｔ１０６）に、当該電力を利用して、管理装置１０に無線接続要求を送信し（Ｔ１１２）、管理装置１０との間で確立された無線通信接続を利用して、管理装置との間でコマンドの通信を実行する（Ｔ１１６等）。【選択図】図４
2018121119.tif 000002
【特許請求の範囲】
【請求項１】
端末装置と、前記端末装置との間で前記端末装置に関係する情報を通信するための管理装置と、を備える管理システムであって、
前記管理装置は、
管理側制御部と、
非接触方式に従って外部に送電するための送電部と、
外部と無線通信を実行するための管理側通信インターフェースと、
を備え、
前記管理側制御部は、
前記送電部に送電を実行させ、
前記送電部が送電を実行している間に、前記管理側通信インターフェースを介して前記端末装置から無線接続要求を受信する場合に、前記端末装置との間で前記管理側通信インターフェースを介した無線通信接続を確立し、
前記管理側通信インターフェースを介して、前記無線通信接続を利用して、前記端末装置との間で、前記端末装置に関係する情報を含むコマンドの通信を実行し、
前記端末装置は、
端末側制御部と、
前記非接触方式に従って外部から受電する受電部と、
前記受電部によって受電された電力を前記端末側制御部に供給するための第１の電源回路と、
前記第１の電源回路とは異なる第２の電源回路であって、バッテリから供給される電力を前記端末側制御部に供給するための前記第２の電源回路と、
外部と無線通信を実行するための端末側通信インターフェースと、
を備え、
前記端末側制御部は、
前記第１の電源回路から電力が供給される特定の場合に、前記第１の電源回路から供給される電力を利用して、前記端末側通信インターフェースを介して外部に前記無線接続要求を出力し、
前記第２の電源回路から電力が供給される場合に、前記無線接続要求を出力せず、
前記無線接続要求が出力された後で、前記管理装置との間で前記端末側通信インターフェースを介して前記無線通信接続を確立し、
前記端末側通信インターフェースを介して、前記無線通信接続を利用して、前記管理装置との間で前記コマンドの通信を実行する、
管理システム。
【請求項２】
前記端末装置には、前記端末装置を示す識別情報が割り当てられており、
前記管理側制御部は、
前記送電部が送電を実行する場合に、前記送電部に特定の情報を外部に出力させ、
前記端末側制御部は、
前記第１の電源回路から電力が供給されるとともに、前記受電部によって前記特定の情報が取得され、取得された前記特定の情報が前記識別情報に関係すると判定される前記特定の場合に、前記第１の電源回路から供給される電力を利用して、前記端末側通信インターフェースを介して外部に前記無線接続要求を出力し、
前記第１の電源回路から電力が供給されるとともに、前記受電部によって前記特定の情報が取得され、取得された前記特定の情報が前記識別情報に関係しないと判定される場合に、前記無線接続要求を出力しない、
請求項１に記載の管理システム。
【請求項３】
前記管理側通信インターフェース及び前記端末側通信インターフェースは、Ｗｉ−Ｆｉ通信を実行するための通信インターフェースである、
請求項１又は２に記載の管理システム。
【請求項４】
前記管理側通信インターフェース及び前記端末側通信インターフェースは、Ｂｌｕｅｔｏｏｔｈ（登録商標）通信を実行するための通信インターフェースである、請求項１又は２に記載の管理システム。
【発明の詳細な説明】
【技術分野】
【０００１】
本明細書で開示する技術は、端末装置に関係する情報を管理するための管理システムに関する。
【背景技術】
【０００２】
一方の装置と他方の装置をコネクタ等で接続することなく、一方の装置から他方の装置に送電する非接触電力伝送技術が知られている。非接触電力伝送技術として、例えば、電磁誘導の原理を利用した電磁誘導方式と、一方の装置が発信する電波を受信して、受信済みの電波から電力を生成する電波方式が知られている。
【０００３】
特許文献１には、電波方式であるＲＦＩＤ（Radio Frequency Identifierの略）の技術を利用する無線タグチップを備える携帯型の端末が開示されている。携帯型の端末は、さらに、バッテリと、バッテリから制御部への電力供給のオンオフを切り替える電源回路を備える。無線タグチップは、外部から電磁波を受信すると、受信した電磁波から電力を生成し、生成された電力を用いて電源回路にトリガ信号を送信して、バッテリから制御部への電力供給をオンに切り替える。これにより、バッテリの電力が制御部に供給され、制御部は、バッテリの電力で駆動して、特定のアプリを起動するなどの所定の処理を実行する。
【先行技術文献】
【特許文献】
【０００４】
【特許文献１】特開２０１２−２０９８３５号公報
【発明の概要】
【発明が解決しようとする課題】
【０００５】
例えば、特許文献１の技術を利用して、携帯型の端末と外部の管理装置との間で、携帯型の端末に関係する情報の通信を実行させる処理（いわゆるメンテナンス処理）を実行することが想定される。特許文献１の技術では、メンテナンス処理を実行する際に、予め携帯型の端末にバッテリを接続しておく必要がある。しかしながら、携帯型の端末にバッテリが接続されていない状況、例えば、出荷前で携帯型の端末が梱包されている状況では、梱包されているにも関わらず、作業者が開梱し、携帯型の端末にバッテリを接続しなければならず、作業者の負担が大きい。
【０００６】
本明細書では、端末装置と管理装置との間で、端末装置に関係する情報の通信が行われるべき場合に、バッテリが接続されていない状態で通信を行い得ることで、メンテナンス処理を実行する際の作業者の負担を軽減し得る管理システムを開示する。
【課題を解決するための手段】
【０００７】
本明細書は、端末装置と、端末装置との間で端末装置に関係する情報を通信するための管理装置と、を備える管理システムを開示する。管理装置は、管理側制御部と、非接触方式に従って外部に送電するための送電部と、外部と無線通信を実行するための管理側通信インターフェースと、を備える。管理側制御部は、送電部に送電を実行させ、送電部が送電を実行している間に、管理側通信インターフェースを介して端末装置から無線接続要求を受信する場合に、端末装置との間で管理側通信インターフェースを介した無線通信接続を確立し、管理側通信インターフェースを介して、無線通信接続を利用して、端末装置との間で、端末装置に関係する情報を含むコマンドの通信を実行する。端末装置は、端末側制御部と、非接触方式に従って外部から受電する受電部と、受電部によって受電された電力を端末側制御部に供給するための第１の電源回路と、第１の電源回路とは異なる第２の電源回路であって、バッテリから供給される電力を端末側制御部に供給するための第２の電源回路と、外部と無線通信を実行するための端末側通信インターフェースと、を備える。端末側制御部は、第１の電源回路から電力が供給される特定の場合に、第１の電源回路から供給される電力を利用して、端末側通信インターフェースを介して外部に無線接続要求を出力し、第２の電源回路から電力が供給される場合に、無線接続要求を出力せず、無線接続要求が出力された後で、管理装置との間で端末側通信インターフェースを介して無線通信接続を確立し、端末側通信インターフェースを介して、無線通信接続を利用して、管理装置との間でコマンドの通信を実行する。
【０００８】
上記の構成によると、端末装置は、端末側制御部に第１の電源回路から電力が供給される特定の場合に、第１の電源回路から供給される電力を利用して、管理装置との間で無線通信接続を確立し、確立された無線通信接続を利用して、管理装置との間で、端末装置に関係する情報を含むコマンドの通信を実行する。これにより、バッテリから供給される電力を利用しなくても、管理装置との間でコマンドの通信を実行することができる。即ち、上記の構成によると、端末装置は、第２の電源回路にバッテリが接続されていない状況であっても、管理装置との間でコマンドの通信を実行することができる。上記の構成によると、端末装置に予めバッテリを接続しておく必要がある従来の構成と比べて、端末装置と管理装置との間で、端末装置に関係する情報の通信が行われるべき場合に、バッテリが接続されていない状態で通信を行い得ることで、メンテナンス処理を実行する際の作業者の負担を軽減し得る。
【図面の簡単な説明】
【０００９】
【図１】管理システムの構成を示す。
【図２】管理装置の更新ファイル送信処理のフローチャートを示す。
【図３】端末装置の更新ファイル受信処理のフローチャートを示す。
【図４】図２、図３の処理による具体的なケースを示す。
【発明を実施するための形態】
【００１０】
以下に説明する実施例の主要な特徴を列記しておく。なお、以下に示す技術要素は、それぞれ独立した技術要素であって、単独であるいは各種の組み合わせによって技術的有用性を発揮するものであり、出願時請求項記載の組み合わせに限定されるものではない。
【００１１】
（特徴１）端末装置には、端末装置を示す識別情報が割り当てられていてもよい。管理側制御部は、送電部が送電を実行する場合に、送電部に特定の情報を外部に出力させてもよい。端末側制御部は、第１の電源回路から電力が供給されるとともに、受電部によって特定の情報が取得され、取得された特定の情報が識別情報に関係すると判定される特定の場合に、第１の電源回路から供給される電力を利用して、端末側インターフェースを介して外部に無線接続要求を出力してもよく、第１の電源回路から電力が供給されるとともに、受電部によって特定の情報が取得され、取得された特定の情報が識別情報に関係しないと判定される場合に、無線接続要求を出力しなくてもよい。
【００１２】
この構成によると、制御部は、特定の情報が識別情報に関係すると判定される特定の場合に限り、外部に無線接続要求を出力する。これにより、管理装置は、識別情報により示される端末装置との間でのみ無線通信接続を確立することができる。
【００１３】
（特徴２）管理側通信インターフェース及び端末側通信インターフェースは、Ｗｉ−Ｆｉ通信を実行するための通信インターフェースであってもよい。
【００１４】
（特徴３）管理側通信インターフェース及び端末側通信インターフェースは、Ｂｌｕｅｔｏｏｔｈ（登録商標）通信を実行するための通信インターフェースであってもよい。
【００１５】
（第１実施例）
（システム構成；図１）
図１に示す管理システム２は、管理装置１０と端末装置１００を備える。端末装置１００は、端末装置１００に接続されるバッテリ１４０とともに、梱包容器２００に梱包されている。即ち、図１の端末装置１００は出荷前の状態である。この状態では、端末装置１００には、バッテリ１４０が接続されていない。
【００１６】
（管理装置１０）
管理装置１０は、出荷前の端末装置（例えば、端末装置１００）を管理するための装置である。管理装置１０は、ＲＦＩＤ（Radio Frequency Identifierの略）タグ通信部１２と、Ｗｉ−Ｆｉインターフェース１６と、制御部２０と、メモリ３０と、を備える。以下では、インターフェースのことを「Ｉ／Ｆ」と呼ぶ。
【００１７】
ＲＦＩＤタグ通信部１２は、アンテナ（図示省略）と、当該アンテナを介してＲＦＩＤ方式に従った電波を送受信するため送受信回路（図示省略）を含む。送受信回路は、符号化部、変調部、発振器、増幅器等を有している。送受信回路は、制御部２０から送信対象のデジタル信号を取得すると、取得済みのデジタル信号を変調し、変調済みの電波を送信する。制御部２０は、ＲＦＩＤタグ通信部１２を介して、電波の送信範囲内に存在するＲＦＩＤタグ（例えばＲＦＩＤタグ１１２）と通信を実行することができる。制御部２０は、ＲＦＩＤタグ通信部１２を介してＲＦＩＤタグと通信を実行することにより、ＲＦＩＤタグに記録された情報の読み取り、及び、ＲＦＩＤタグへの情報の書き込みを実行することができる。
【００１８】
Ｗｉ−ＦｉＩ／Ｆ１６は、Ｗｉ−Ｆｉ（Ｗｉ−Ｆｉ  Ａｌｌｉａｎｃｅの登録商標）規格に従った無線通信を実行するためのインターフェースである。
【００１９】
制御部２０は、メモリ３０に記憶されているプログラム３２に従って、様々な処理を実行する。メモリ３０は、揮発性メモリ、不揮発性メモリ等によって構成される。メモリ３０は、さらに、更新ファイル３４を記憶する。
【００２０】
更新ファイル３４は、端末装置のプログラム（例えば、端末装置１００のプログラム１３２）を更新するためのファイルである。後で説明するように、制御部２０は、端末装置との間で、Ｗｉ−ＦｉＩ／Ｆ１６を介した無線通信接続が確立された後で（図２のＳ１４）、端末装置から準備完了コマンドを受信すると（Ｓ１６でＹＥＳ）、当該端末装置に対して更新ファイル３４を送信する。
【００２１】
（端末装置１００）
本実施例の端末装置１００は、携帯型の端末装置であり、例えば、バーコード、２次元コード等の各種情報コードに記録されたデータを読み取るための情報コード読取装置である。なお、他の例では、端末装置１００は、情報コード読取装置に限られず、携帯電話（例えばスマートフォン）、ＰＤＡ、ノートＰＣ、タブレット端末、携帯型音楽再生装置、携帯型動画再生装置、ＲＦＩＤタグリーダライタ等、任意の可搬型の装置であってもよい。端末装置１００は、ＲＦＩＤタグ１１２と、第１の電源回路１１３と、バッテリ端子１１４と、第２の電源回路１１５、Ｗｉ−ＦｉＩ／Ｆ１１６と、電源ボタン１１８と、制御部１２０と、メモリ１３０と、を備える。
【００２２】
ＲＦＩＤタグ１１２は、公知のＲＦＩＤタグである。ＲＦＩＤタグ１１２は、メモリ１１２ａと、アンテナコイル１１２ｂと、制御回路１１２ｃと、を備える。アンテナコイル１１２ｂは、電波を受信すると、受信された電波から電力を生成する。生成済みの電力は、制御回路１１２ｃに供給される。制御回路１１２ｃは、アンテナコイル１１２ｂから供給される電力を利用して動作する。制御回路１１２ｃは、アンテナコイル１１２ｂによって受信された電波を復調して、デジタル信号を生成する。そして、制御回路１１２ｃは、生成済みのデジタル信号に従って、様々な処理を実行する。例えば、生成済みのデジタル信号に含まれる情報をメモリ１１２ａに書き込む処理、端末装置１００の第１の電源回路１１３にＯＮ信号を供給する処理等である。
【００２３】
第１の電源回路１１３は、アンテナコイル１１２ｂで生成される電力を制御部１２０に供給するための回路である。第１の電源回路１１３は、アンテナコイル１１２ｂと制御部１２０の間に接続され、アンテナコイル１１２ｂと制御部１２０の間の経路（以下では「第１の経路」と呼ぶ）の遮断と導通を切り替える。第１の電源回路１１３は、ＲＦＩＤタグ１１２からＯＮ信号が供給される場合に、第１の経路を遮断から導通に切り替える。これにより、アンテナコイル１１２ｂで生成される電力が制御部１２０に供給される。
【００２４】
バッテリ端子１１４は、バッテリ１４０を端末装置１００に接続するための端子である。上記したように、端末装置１００は、出荷前の状態である。この状態では、バッテリ端子１１４には、バッテリ１４０が接続されていない。
【００２５】
第２の電源回路１１５は、バッテリ端子１１４に接続されるバッテリ１４０の電力を制御部１２０に供給するための回路である。第２の電源回路１１５は、バッテリ端子１１４と制御部１２０の間に接続され、バッテリ端子１１４と制御部１２０の間の経路（以下では「第２の経路」と呼ぶ）の遮断と導通を切り替える。第２の電源回路１１５は、バッテリ１４０がバッテリ端子１１４に接続された状態で、電源ボタン１１８が押し下げられることに応じて、電源ボタン１１８からＯＮ信号が供給される場合に、第２の経路を遮断から導通に切り替える。これにより、バッテリ端子１１４に接続されるバッテリ１４０の電力が制御部１２０に供給される。
【００２６】
Ｗｉ−ＦｉＩ／Ｆ１１６は、Ｗｉ−Ｆｉ通信を実行するためのインターフェースである。
【００２７】
制御部１２０は、メモリ１３０に記憶されているプログラム１３２に従って、様々な処理を実行する。メモリ１３０は、揮発性メモリ、不揮発性メモリ等によって構成される。メモリ１３０は、さらに、端末装置１００を識別するための端末ＩＤを記憶する。端末ＩＤは、端末装置１００（即ち自機）を識別するためのユニークな情報である。端末ＩＤは、端末装置１００の製造時に端末装置１００に割り当てられる。
【００２８】
（更新ファイル送信処理：図２）
続いて、図２を参照して、管理装置１０の制御部２０が実行する更新ファイル送信処理の内容を説明する。更新ファイル送信処理は、端末装置に更新ファイルを送信するための処理である。制御部２０は、更新ファイル送信処理を開始するための開始指示を受け付けると、図２の更新ファイル送信処理を開始する。開始指示は、更新ファイルの送付先の端末装置（例えば端末装置１００。以下では「対象装置」と呼ぶ場合がある）の端末ＩＤ（例えば、端末装置１００の端末ＩＤ。以下では「対象ＩＤ」と呼ぶ場合がある）の入力を含む。
【００２９】
Ｓ１０では、制御部２０は、開始指示において入力された対象ＩＤを含むデジタル信号を生成し、当該デジタル信号をＲＦＩＤタグ通信部１２に供給する。そして、制御部２０は、ＲＦＩＤタグ通信部１２に、当該デジタル信号の変調と変調済みの電波の出力を実行させる。即ち、制御部２０は、ＲＦＩＤタグ通信部１２に、開始指示において入力された対象ＩＤを含む電波の出力（即ち送電）を開始させる。
【００３０】
Ｓ１２では、制御部２０は、ＲＦＩＤタグ通信部１２が送電（即ち電波の出力）を実行している間に、Ｗｉ−ＦｉＩ／Ｆ１６を介して、無線接続要求を受信することを監視する。無線接続要求は、ＲＦＩＤタグ通信部１２が送信した電波を受信した端末装置（例えば、端末装置１００）と管理装置１０との間に無線通信接続（即ちＷｉ−Ｆｉ接続）を確立することを要求するためのコマンドである。
【００３１】
後で詳しく説明する通り、端末装置（例えば端末装置１００）の制御部が、ＲＦＩＤタグ通信部１２が出力する電波を受信する場合（図３のＳ５０でＹＥＳ）において、電波に含まれる対象ＩＤが、電波を受信した端末装置の端末ＩＤと一致するとき（即ち電波を受信した端末装置が対象装置である場合。Ｓ５２でＹＥＳ）に、当該端末装置の制御部は、管理装置に無線接続要求を送信する（Ｓ５４）。
【００３２】
この場合、制御部２０は、Ｗｉ−ＦｉＩ／Ｆ１６を介して、端末装置から無線接続要求を受信する。この場合、制御部２０はＳ１２でＹＥＳと判断し、Ｓ１４に進む。
【００３３】
Ｓ１４では、制御部２０は、Ｗｉ−ＦｉＩ／Ｆ１６を介して、対象装置とのＷｉ−Ｆｉ接続を確立するための様々な通信を実行する。当該通信は、例えば、ＳＳＩＤ（Service Set Identifierの略）を含む信号の送信、パスワード等を利用した認証のための通信等を含む。そして、制御部２０は、対象装置との間でＷｉ−ＦｉＩ／Ｆ１６を介したＷｉ−Ｆｉ接続を確立する。
【００３４】
Ｓ１６では、制御部２０は、Ｗｉ−ＦｉＩ／Ｆ１６を介して、確立済みのＷｉ−Ｆｉ接続を利用して、対象装置から準備完了コマンドを受信することを監視する。準備完了コマンドは、対象装置において、管理装置１０から更新ファイルを受信する準備が完了したことを示すコマンドである。
【００３５】
後で詳しく説明する通り、対象装置の制御部は、無線接続要求の送信後（図３のＳ５４）、管理装置１０との間にＷｉ−Ｆｉ接続が確立された場合（Ｓ５６でＹＥＳ）に、管理装置１０に準備完了コマンドを送信する。
【００３６】
この場合、制御部２０は、Ｗｉ−ＦｉＩ／Ｆ１６を介して、対象装置から準備完了コマンドを受信する。この場合、制御部２０はＳ１６でＹＥＳと判断し、Ｓ１８に進む。
【００３７】
Ｓ１８では、制御部２０は、Ｗｉ−ＦｉＩ／Ｆ１６を介して、確立済みのＷｉ−Ｆｉ接続を利用して、メモリ３０内の更新ファイル３４を対象装置に送信する。
【００３８】
続くＳ２０では、制御部２０は、Ｗｉ−ＦｉＩ／Ｆ１６を介して、確立済みのＷｉ−Ｆｉ接続を利用して、対象装置から更新完了コマンドを受信することを監視する。更新完了コマンドは、対象装置において更新ファイル３４を利用した更新処理（図３のＳ６２）が完了したことを示すコマンドである。
【００３９】
Ｓ２２では、制御部２０は、ＲＦＩＤタグ通信部１２による送電を停止させるための信号をＲＦＩＤタグ通信部１２に供給し、ＲＦＩＤタグ通信部１２に送電（即ち電波の出力）を停止させる。Ｓ２４が終了すると、制御部２０は、図２の更新ファイル送信処理を終了する。
【００４０】
（更新ファイル受信処理：図３）
続いて、図３を参照して、端末装置１００の制御部１２０が実行する更新ファイル受信処理の内容を説明する。制御部１２０は、第１の電源回路１１３又は第２の電源回路１１５から電力の供給を受ける場合に、起動する。制御部１２０は、起動をトリガとして、図３の更新ファイル受信処理を開始する。
【００４１】
第１の電源回路１１３から電力の供給を受けることに起因して制御部１２０が起動することは、端末装置１００のＲＦＩＤタグ１１２が電波を受信していることを意味する。この場合、ＲＦＩＤタグ１１２の制御回路１１２ｃは、アンテナコイル１１２ｂが受信した電波を復調して、デジタル信号を生成する。そして、制御回路１１２ｃは、デジタル信号に含まれる対象ＩＤをメモリ１１２ａに書き込む。また、制御回路１１２ｃは、第１の電源回路１１３にＯＮ信号を送信する。これにより、アンテナコイル１１２ｂで受信中の電波から生成される電力が、第１の電源回路１１３を介して、制御部１２０に供給される。
【００４２】
一方、第２の電源回路１１５から電力の供給を受けることに起因して、制御部１２０が起動することは、端末装置１００のバッテリ端子１１４にバッテリ１４０が接続され、かつ、電源ボタン１１８が押し下げられていることを意味する。即ち、ユーザが、端末装置１００を梱包容器２００から開梱し、バッテリ１４０を接続して、端末装置１００の使用を開始したことを意味する。
【００４３】
Ｓ５０では、制御部１２０は、電力の供給元が、第１の電源回路１１３であるのか否かを判断する。具体的には、制御部１２０は、アンテナコイル１１２ｂと制御部１２０の間の経路（即ち第１の経路）に印加される電圧値、及び、バッテリ端子１１４と制御部１２０の間の経路（即ち第２の経路）に印加される電圧値をそれぞれ参照し、各経路における電圧値が導通を示す値であるか否かに基づいて、電力の供給元が第１の電源回路１１３と第２の電源回路１１５のどちらであるのかを判断する。制御部１２０は、第１の経路の電圧値が導通を示す値であり、第２の経路の電圧値が遮断を示す値である場合（即ち電力の供給元が第１の電源回路１１３である場合）に、Ｓ５０でＹＥＳと判断して、Ｓ５２に進む。一方、第１の経路の電圧値が遮断を示す値であり、第２の経路の電圧値が導通を示す値である場合（即ち電力の供給元が第２の電源回路１１５である場合）、制御部１２０はＳ５０でＮＯと判断し、図３の更新ファイル受信処理を終了する。また、第１の経路の電圧値及び第２の経路の電圧値がともに導通を示す値である場合（即ち第１の電源回路１１３と第２の電源回路１１５の双方から同時に電力が供給される場合）にも、制御部１２０は、Ｓ５０でＮＯと判断し、図３の更新ファイル受信処理を終了する。この場合、ユーザ操作に従う端末装置１００の使用（即ち、第２の電源回路１１５から供給される電力を用いる制御部１２０の動作）が優先される。
【００４４】
Ｓ５２では、制御部１２０は、管理装置１０から電波を受信することによってＲＦＩＤタグ１１２のメモリ１１２ａに書き込まれた対象ＩＤが、自機である端末装置１００の端末ＩＤと一致するのか否かを判断する。制御部１２０は、対象ＩＤが、メモリ１３０に予め記憶されている端末装置１００の端末ＩＤと一致する場合、Ｓ５２でＹＥＳと判断して、Ｓ５４に進む。この場合、端末装置１００が対象装置であることを意味する。一方、制御部１２０は、対象ＩＤが端末装置１００の端末ＩＤと一致しない場合、Ｓ５２でＮＯと判断して、Ｓ５４以降の処理をスキップして、図３の更新ファイル受信処理を終了する。
【００４５】
Ｓ５４では、制御部１２０は、第１の電源回路１１３から供給される電力を利用して、Ｗｉ−ＦｉＩ／Ｆ１１６を介して、管理装置１０に無線接続要求を送信する（図２のＳ１２を参照）。無線接続要求は、管理装置１０との間でＷｉ−Ｆｉ接続を確立することを管理装置１０に要求するためのコマンドである。
【００４６】
続くＳ５６では、制御部１２０は、端末装置１００と管理装置１０との間にＷｉ−ＦｉＩ／Ｆ１１６を介したＷｉ−Ｆｉ接続が確立されることを監視する（図２のＳ１４を参照）。制御部１２０は、Ｗｉ−Ｆｉ接続が確立されると、Ｓ５６でＹＥＳと判断して、Ｓ５８に進む。
【００４７】
Ｓ５８では、制御部１２０は、Ｗｉ−ＦｉＩ／Ｆ１１６を介して、確立済みのＷｉ−Ｆｉ接続を利用して、準備完了コマンドを管理装置１０に送信する（図２のＳ１６を参照）。準備完了コマンドは、接続済みのＷｉ−Ｆｉ接続を利用して更新ファイルを受信する準備が完了したことを管理装置１０に通知するためのコマンドである。
【００４８】
Ｓ６０では、制御部１２０は、Ｗｉ−ＦｉＩ／Ｆ１１６を介して、確立済みのＷｉ−Ｆｉ接続を利用して、管理装置１０から更新ファイル３４を受信することを監視する（図２のＳ１８を参照）。制御部１２０は、更新ファイル３４を受信すると、Ｓ６０でＹＥＳと判断して、Ｓ６２に進む。
【００４９】
Ｓ６２では、制御部１２０は、受信済みの更新ファイル３４を利用して、端末装置１００のプログラム１３２を更新する更新処理を実行する。Ｓ６４では、制御部１２０は、更新処理が完了すると、Ｗｉ−ＦｉＩ／Ｆ１６を介して、確立済みのＷｉ−Ｆｉ接続を利用して、管理装置１０に更新完了コマンドを送信する（図２のＳ２０を参照）。制御部１２０は、Ｓ６４の処理が終了すると、図３の更新ファイル受信処理を終了する。
【００５０】
なお、図３には示していないが、Ｓ５２〜Ｓ６４の処理が実行されている間に第２の電源回路１１５から電力が供給される場合、制御部１２０は、第１の電源回路１１３から供給される電力を優先して使用する（即ちＳ５２〜Ｓ６４の処理を中断せずに継続する）。
【００５１】
（具体的なケース）
続いて、図４を参照して、図２、図３のフローチャートによって実現される具体的なケースを説明する。本ケースにおいて、端末装置１００は、梱包容器２００に梱包されたままであり、バッテリ端子１１４には、バッテリ１４０は接続されていない。
【００５２】
Ｔ１００では、管理装置１０は、対象ＩＤ（この例では、端末装置１００の端末ＩＤ）の入力を含む開始指示を受け付ける。
【００５３】
Ｔ１０２では、管理装置１０は、送電（即ち電波の出力）を開始する（図２のＳ１０）。具体的には、管理装置１０のＲＦＩＤタグ通信部１２は、開始指示において入力された対象ＩＤを含むデジタル信号を変調して、変調済みの電波を外部に送信する。
【００５４】
Ｔ１０４では、端末装置１００のＲＦＩＤタグ１１２の制御回路１１２ｃは、ＲＦＩＤタグ１１２のアンテナコイル１１２ｂが受信した電波を復調し、デジタル信号を生成する。そして、制御回路１１２ｃは、生成済みのデジタル信号に含まれる対象ＩＤをＲＦＩＤタグ１１２のメモリ１１２ａに書き込む。また、制御回路１１２ｃは、第１の電源回路１１３にＯＮ信号を供給する。また、アンテナコイル１１２ｂは、受信中の電波から電力を生成する。
【００５５】
Ｔ１０６では、ＲＦＩＤタグ１１２から第１の電源回路１１３にＯＮ信号が供給されると、第１の電源回路１１３は、アンテナコイル１１２ｂで生成された電力を制御部１２０に供給する。これにより、制御部１２０が起動する。
【００５６】
Ｔ１０８では、端末装置１００の制御部１２０は、電力の供給元が第１の電源回路１１３であると判断する（図３のＳ５０でＹＥＳ）。Ｔ１１０では、端末装置１００は、Ｔ１０４でＲＦＩＤタグ１１２のメモリ１１２ａに書き込まれた対象ＩＤが、メモリ１３０内の自機の端末ＩＤと一致すると判定する（Ｓ５２でＹＥＳ）。Ｔ１１２では、端末装置１００は、Ｗｉ−ＦｉＩ／Ｆ１１６を介して、無線接続要求を管理装置１０に送信する（Ｓ５４）。
【００５７】
Ｔ１１４では、管理装置１０は、Ｗｉ−ＦｉＩ／Ｆ１６を介して、端末装置１００から無線接続要求を受信すると（図２のＳ１２でＹＥＳ）、管理装置１０と端末装置１００との間でＷｉ−Ｆｉ接続を確立する（Ｓ１４）。
【００５８】
管理装置１０と端末装置１００との間にＷｉ−Ｆｉ接続が確立されると（図３のＳ５６でＹＥＳ）、Ｔ１１６において、制御部１２０は、Ｗｉ−Ｆｉ接続を利用して、準備完了コマンドを管理装置１０に送信する（Ｓ５８）。
【００５９】
Ｔ１１８では、管理装置１０は、Ｗｉ−ＦｉＩ／Ｆ１６を介して、端末装置１００から準備完了コマンドを受信すると（図２のＳ１６でＹＥＳ）、Ｗｉ−Ｆｉ接続を利用して、メモリ３０内の更新ファイル３４を端末装置１００に送信する（Ｓ１８）。
【００６０】
Ｔ１２０では、制御部１２０は、Ｗｉ−ＦｉＩ／Ｆ１１６を介して、管理装置１０から更新ファイル３４を受信すると（図３のＳ６０でＹＥＳ）、受信済みの更新ファイル３４を利用して、プログラム１３２の更新処理を実行する（Ｓ６２）。更新処理が完了すると、Ｔ１２２において、端末装置１００は、Ｗｉ−Ｆｉ接続を利用して、更新完了コマンドを管理装置１０に送信する（Ｓ６４）。
【００６１】
Ｔ１２４では、管理装置１０は、ＲＦＩＤタグ通信部１２の送電（即ち電波の出力）を停止する。これにより、端末装置１００のアンテナコイル１１２ｂは、電波を受信しないので、アンテナコイル１１２ｂは電力を生成しない。このため、アンテナコイル１１２ｂから制御部１２０に電力が供給されなくなり、制御部１２０は、自動的に停止する。
【００６２】
（本実施例の効果）
端末装置１００は、制御部１２０に第１の電源回路１１３から電力が供給される場合（図４のＴ１０８）に、第１の電源回路１１３から供給される電力を利用して管理装置１０との間でＷｉ−Ｆｉ接続を確立し（Ｔ１１４）、確立済みのＷｉ−Ｆｉ接続を利用して、管理装置１０から更新ファイル３４を受信する（Ｔ１１８）。そして、端末装置１００は、受信済みの更新ファイル３４を利用して更新処理を実行する。これにより、バッテリ端子１１４から供給される電力を利用しなくても、管理装置１０から更新ファイル３４を受信して、更新処理を実行することができる。即ち、端末装置１００は、バッテリ端子１１４にバッテリ１４０が接続されていない状況（例えば、梱包状態）であっても、管理装置１０から更新ファイル３４を受信して、更新処理を実行することができる。本実施例によると、端末装置１００を開梱して、端末装置１００にバッテリ１４０を接続し、当該バッテリ１４０の電力を利用して管理装置１０との通信を実行する従来の構成と比べて、更新処理がバッテリ１４０を接続することなく実行されるので、端末装置１００のプログラム１３２を更新した作業者の負担を軽減することができる。
【００６３】
また、ＲＦＩＤタグ１１２は、電波を受信すると、当該電波から復調されたデジタル信号に含まれる対象ＩＤをＲＦＩＤタグ１１２のメモリ１１２ａに書き込む。そして、端末装置１００は、ＲＦＩＤタグ１１２のメモリ１１２ａに書き込まれた対象ＩＤが、端末装置１００の端末ＩＤと一致すると判定する場合に限り（図３のＳ５２でＹＥＳ、図４のＴ１１０）、無線接続要求を管理装置１０に送信する（Ｔ１１２）。これにより、管理装置１０は、対象ＩＤが割り当てられている端末装置１００との間でのみＷｉ−Ｆｉ接続を確立することができる。
【００６４】
（対応関係）
制御部２０、ＲＦＩＤタグ通信部１２、Ｗｉ−ＦｉＩ／Ｆ１６が、それぞれ、「管理側制御部」、「送電部」、「管理側通信インターフェース」の一例である。制御部１２０、ＲＦＩＤタグ１１２、Ｗｉ−ＦｉＩ／Ｆ１１６が、それぞれ、「端末側制御部」、「受電部」「端末側通信インターフェース」の一例である。準備完了コマンド、更新ファイル、更新完了コマンドの通信が、「コマンドの通信」の一例である。Ｓ５０でＹＥＳと判断される場合が、「特定の場合」の一例である。対象ＩＤが、「特定の情報」の一例である。Ｗｉ−Ｆｉ接続が、「無線通信接続」の一例である。
【００６５】
（第２実施例）
第２実施例について第１実施例とは異なる点を中心に説明する。本実施例では、管理装置１０と端末装置１００との間で、Ｗｉ−Ｆｉ接続に代えて、ＢＴ（Ｂｌｕｅｔｏｏｔｈの略）接続が確立される点が第１実施例とは異なる。本実施例では、管理装置１０は、Ｗｉ−ＦｉＩ／Ｆ１６に代えて、管理側ＢＴ通信Ｉ／Ｆを備える。同様に、端末装置１００も、Ｗｉ−ＦｉＩ／Ｆ１１６に代えて、端末側ＢＴ通信Ｉ／Ｆを備える。各ＢＴ通信Ｉ／Ｆは、ＢＴ通信を実行するためのインターフェースである。ＢＴ通信は、例えば、ＩＥＥＥ（The Institute of Electrical and Electronics Engineers, Inc.の略）８０２．１５．１の規格、及び、それに準ずる規格に基づく無線通信である。
【００６６】
管理装置１０の制御部２０は、管理側ＢＴ通信Ｉ／Ｆを介して、無線接続要求を受信し（図２のＳ１２）、無線接続要求の送信元の端末装置との間で管理側ＢＴ通信Ｉ／Ｆを介したＢＴ接続を確立する（Ｓ１４）。そして、制御部２０は、管理側ＢＴ通信Ｉ／Ｆを介して、確立済みのＢＴ接続を利用して、準備完了コマンドの受信（Ｓ１６）と、更新ファイルの送信（Ｓ２０）と、更新完了コマンドの受信（Ｓ２２）を実行する。
【００６７】
一方、端末装置１００の制御部１２０は、端末側ＢＴ通信Ｉ／Ｆを介して、無線接続要求を送信し（図３のＳ５４）、管理装置１０との間で端末側ＢＴ通信Ｉ／Ｆを介したＢＴ接続を確立する（Ｓ５６でＹＥＳ）。そして、制御部１２０は、端末側ＢＴ通信Ｉ／Ｆを介して、確立済みのＢＴ接続を利用して、準備完了コマンドの送信（Ｓ５８）と、更新ファイルの受信（Ｓ６０）と、更新完了コマンドの送信（Ｓ６４）を実行する。本実施例では、管理側ＢＴ通信Ｉ／Ｆ、端末側ＢＴ通信Ｉ／Ｆが、それぞれ、「管理側通信インターフェース」、「端末側通信インターフェース」の一例である。ＢＴ接続が「無線通信接続」の一例である。
【００６８】
以上、本発明の具体例を詳細に説明したが、これらは例示にすぎず、特許請求の範囲を限定するものではない。特許請求の範囲に記載の技術には以上に例示した具体例を様々に変形、変更したものが含まれる。上記の実施例の変形例を以下に列挙する。
【００６９】
（変形例１）管理装置１０は、ＲＦＩＤタグ通信部１２に代えて、電磁誘導方式に従って磁界を発生する送電コイルを備えてもよい。さらに、端末装置１００は、ＲＦＩＤタグ１１２に代えて、送電コイルで発生中の磁界を受けて、電磁誘導の原理を利用して、電力を生成する受電コイルを備えていてもよい。そして、端末装置１００は、受電コイルが磁界を受けている間に当該受電コイルで生成される電力を利用して、無線接続要求を管理装置１０に送信してもよい。本変形例における送電コイル、受電コイルが、それぞれ、「送電部」、「受電部」の一例である。
【００７０】
（変形例２）上記の実施例では、管理装置１０の制御部２０は、ＲＦＩＤタグ通信部１２に対象ＩＤを送信させる。そして、端末装置１００の制御部１２０は、ＲＦＩＤタグ通信部１２から受信した対象ＩＤが端末装置１００の端末ＩＤと一致するのか否かを判断する。これに代えて、制御部２０は、ＲＦＩＤタグ通信部１２に特定の情報（例えば、対象ＩＤを含む情報、暗号化された対象ＩＤ等）を送信させるようにしてもよい。そして、制御部１２０は、ＲＦＩＤタグ通信部１２から受信した特定の情報が、自機の端末ＩＤに対応する情報であるのか否か（例えば、特定の情報に含まれる対象ＩＤが端末ＩＤと一致するか否か、特定の情報に含まれる暗号化された対象ＩＤを復号化したＩＤが端末ＩＤと一致するか否か等）を判断してもよい。一般的に言えば、「端末側制御部」は、「取得された特定の情報が識別情報に関係すると判定される」場合に、端末側インターフェースを介して外部に無線接続要求を出力すればよい。
【００７１】
（変形例３）管理装置１０の制御部２０は、図２のＳ２０で更新ファイルを端末装置１００に送信する代わりに、設定値を含む設定値ファイルを端末装置１００に送信してもよい。この場合、端末装置１００の制御部１２０は、図３のＳ６２において、受信済みの設定値ファイルを利用して、前記端末装置１００のメモリ１３０に記憶されている設定値を受信済みの設定値ファイルに含まれる設定値に変更する設定値変更処理を実行してもよい。本変形例では、設定値ファイルの送信が、「コマンドの通信」の一例である。また、「コマンド」は、これらに限らず、端末装置１００の何らかの機能を実行するためのコマンドであればよい。一般的に言えば、「前記端末装置に関係する情報を含むコマンドの通信」が実行されればよい。
【００７２】
（変形例４）「無線通信接続」は、アクセスポイントを介した無線通信の方式（即ちインフラストラクチャ方式）に従った接続であれば、Ｗｉ−Ｆｉ接続に限らない。また、「無線通信接続」は、アクセスポイントを介さない無線通信の方式（即ちアドホック方式）に従った接続であれば、ＢＴ接続に限らない。
【００７３】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００７４】
２        ：管理システム
１０      ：管理装置
１４      ：ＲＦＩＤタグ通信部
１６      ：Ｗｉ−ＦｉＩ／Ｆ
２０      ：制御部
３０      ：メモリ
３２      ：プログラム
３４      ：更新ファイル
１００    ：端末装置
１１２    ：ＲＦＩＤタグ
１１２ａ  ：メモリ
１１２ｂ  ：アンテナコイル
１１２ｃ  ：制御回路
１１３    ：第１の電源回路
１１４    ：バッテリ端子
１１５    ：第２の電源回路
１１６    ：Ｗｉ−ＦｉＩ／Ｆ
１１８    ：電源ボタン
１２０    ：制御部
１３０    ：メモリ
１３２    ：ＯＳプログラム
１４０    ：バッテリ
２００    ：梱包容器
【図１】
2018121119.tif 000003
【図２】
2018121119.tif 000004
【図３】
2018121119.tif 000005
【図４】
2018121119.tif 000006